(57)【要約】【課題】相手素材を傷つけることなく相手素材の固形化されている頑固な汚れなどの付着物を効果的に洗浄することができる洗浄用具を提供する。【解決手段】外側袋部１１は、合成繊維を素材として用いたメッシュ起毛繊維で形成されており、このメッシュ起毛繊維は、防汚効果を有するフッ素樹脂が固着加工されている。外側袋部１１と一体的になるように設けられている内側袋部１２は、無膜式スポンジで形成されており、内部の袋内部１３に石鹸２０が入るように構成されている。袋内部１３に入っている石鹸２０に水分が含まれている状態で、外側表面１１ａを用いて相手素材の付着物を洗浄する。【選択図】図２
0003206002.tif 000002
【実用新案登録請求の範囲】
【請求項１】
袋状に形成された本体部を有し、前記本体部を用いて相手素材の付着物を洗浄するように構成されている洗浄用具であって、
前記本体部は、外側袋部、内側袋部、袋内部、開口部及び開口閉じ部材を有し、
前記外側袋部は、外側表面と外側裏面を有し、合成繊維を素材として用いたメッシュ起毛繊維で形成され、
前記内側袋部は、内側表面と内側裏面を有し、無膜式スポンジで形成され、前記外側裏面と前記内側表面が対向するように貼り付けられ、前記外側袋部と一体的になるように形成され、
前記袋内部は、前記内側裏面の内部であり、石鹸が入るように設けられ、
前記開口部は前記石鹸が、前記袋内部に入るように設けられた開口であり、
前記開口閉じ部材は、前記開口部を閉じるように設けられ、前記石鹸が前記袋内部に入っている状態で、前記開口部を閉じるように構成されていることを特徴とする洗浄用具。
【請求項２】
前記メッシュ起毛繊維は、フッ素樹脂が固着加工されていることを特徴とする請求項１に記載の洗浄用具。
【請求項３】
前記開口閉じ部材は、面ファスナーであり、前記面ファスナーは、前記外側袋部と前記内側袋部と一体的になるように構成されていることを特徴とする請求項１または請求項２に記載の洗浄用具。
【請求項４】
前記袋状の本体部は、手のひらサイズの大きさであり、前記袋内部に前記石鹸が入っている状態で、手で把持されるように構成されていることを特徴とする請求項１から請求項３のいずれかに記載の洗浄用具。
【請求項５】
前記袋内部に入っている石鹸に、水分が含まれている状態で、前記外側表面を用いて前記相手素材の前記付着物を洗浄するように構成されていることを特徴とする請求項１から請求項４のいずれか1項に記載の洗浄用具。
【考案の詳細な説明】
【技術分野】
【０００１】
本考案は、洗浄用具に関する。
【背景技術】
【０００２】
キッチン、バス、トイレ、タイル目地、レザー張り家具、エンボス状壁紙、食器、まな板、ステンレスシンク、建造物など（以下相手素材という）の汚れを洗浄する洗浄用具、例えば、スチールウールを用いたタワシなどが開発されている。
【考案の概要】
【考案が解決しようとする課題】
【０００３】
上記の洗浄用具は、必ずしも良好に汚れを洗浄することができるとはいえず、例えば、スチールウールを用いたタワシでは、研磨性はあるものの、材質が硬いことより相手素材を傷つけてしまうという問題があり、特に固形化されている汚れに対して相手素材を傷つけることなく、効果的に汚れを洗浄することが困難であった。
【０００４】
そこで本考案は、このような課題を解決するためになされたもので相手素材を傷つけることなく、固形化されている頑固な汚れなどの付着物を効果的に洗浄することができる洗浄用具の提供を目的とする。
【課題を解決するための手段】
【０００５】
上記課題を解決するために、本考案に係る洗浄用具は、袋状に形成された本体部を有し、前記本体部を用いて相手素材の付着物を洗浄するように構成されている洗浄用具であって、前記本体部は、外側袋部、内側袋部、袋内部、開口部及び開口閉じ部材を有し、前記外側袋部は、外側表面と外側裏面を有し、合成繊維を素材として用いたメッシュ起毛繊維で形成され、前記内側袋部は、内側表面と内側裏面を有し、無膜式スポンジで形成され、前記外側裏面と前記内側表面が対向するように貼り付けられ、前記外側袋部と一体的になるように形成され、前記袋内部は、前記内側裏面の内部であり、石鹸が入るように設けられ、前記開口部は前記石鹸が、前記袋内部に入るように設けられた開口であり、前記開口閉じ部材は、前記開口部を閉じるように設けられ、前記石鹸が前記袋内部に入っている状態で、前記開口部を閉じるように構成されていることを特徴とする。
【０００６】
本考案に係る洗浄用具の態様について、前記メッシュ起毛繊維は、フッ素樹脂が固着加工されていることが好ましい。
【０００７】
本考案に係る洗浄用具の態様について、前記開口閉じ部材は、面ファスナーであり、前記面ファスナーは、前記外側袋部と前記内側袋部と一体的になるように構成されていることが好ましい。
【０００８】
本考案に係る洗浄用具の態様について、前記袋状の本体部は、手のひらサイズの大きさであり、前記袋内部に前記石鹸が入っている状態で、手で把持されるように構成されていることが好ましい。
【０００９】
本考案に係る洗浄用具の態様について、前記袋内部に入っている石鹸に、水分が含まれている状態で、前記外側表面を用いて前記相手素材の前記付着物を洗浄するように構成されていることが好ましい。
【考案の効果】
【００１０】
本考案の洗浄用具によれば、相手素材を傷つけることなく、固形化されている頑固な汚れなどの付着物を効果的に洗浄することができる洗浄用具を提供することができる。
【図面の簡単な説明】
【００１１】
【図１】実施形態の洗浄用具の上面を示す模式図である。
【図２】図１のＡ−Ａ線の断面を示す模式図である。
【考案を実施するための形態】
【００１２】
以下、本考案の洗浄用具の実施形態を、図１及び図２を用いて説明する。
【００１３】
図１及び図２に示すように、実施形態の洗浄用具１は、袋状に形成された本体部１０を有しており、この本体部１０を用いて相手素材の固形化されている頑固な汚れなどの付着物を洗浄するように構成されている。
【００１４】
本体部１０は、外側袋部１１、内側袋部１２、袋内部１３、開口部１４及び面ファスナー１５を有している。なお、図２（ａ）は、開口部１４が開いている状態の洗浄用具１の断面を示しており、また、図２（ｂ）は、開口部１４が面ファスナー１５を用いて閉じている状態の洗浄用具１の断面を示している。
【００１５】
外側袋部１１は、例えば、ナイロン、ポリエステルなどの合成繊維を素材として用いたメッシュ起毛繊維で形成されており、外側表面１１ａと外側裏面１１ｂを有している。実施形態において、メッシュ起毛繊維は、フッ素樹脂が固着加工されている構成が望ましく、このような構成にすることで、メッシュ起毛繊維によって剥ぎ取られた付着物が、このメッシュ起毛繊維に付着しないという効果、つまり防汚効果を有することになる。なお、ナイロン、ポリエステルなどの合成繊維は、硬度の高いものを用いるとよい。
【００１６】
内側袋部１２は、例えば無膜式スポンジで形成されており、内側表面１２ａと内側裏面１２ｂを有している。外側裏面１１ｂと内側表面１２ａは、対向するように貼り付けられて、外側袋部１１と内側袋部１２は、一体的になるように形成されている。
【００１７】
袋内部１３は、内側裏面１２ｂの内部であり、石鹸２０が入るように設けられており、また、開口部１４は、石鹸２０が袋内部１３に入るように設けられている開口である。
【００１８】
面ファスナー１５は、外側袋部１１と内側袋部１２と一体的になるように形成され、面ファスナー１５を用いて開口部１４を閉じることで袋内部１３に入っている石鹸２０が本体部１０の外に出ないようにするものである。面ファスナー１５は、開口部１４を閉じるための開口閉じ部材の一例であり、これに限定されず、例えば、紐、ボタンなどであってもよい。
【００１９】
実施形態において、本体部１０は、手のひらサイズの大きさであることが望ましく、また、本体部１０は、袋内部１３に石鹸２０が入っている状態で、手で把持されるように構成されていることが望ましい。なお、本体部１０は、手の大きさに合わせ複数の大きさとしてもよいが、これに限定されず、例えば、手の届かない相手素材の付着物を洗浄するために本体部１０に取っ手を設けた構成であってもよい。
【００２０】
このような実施形態の洗浄用具１は、袋内部１３に入っている石鹸２０に水分が含まれている状態で、外側表面１１ａを用いて相手素材の固形化されている頑固な汚れなどの付着物を洗浄するように構成されている。
【００２１】
また、上記の石鹸２０に水分が含まれている状態で、手で把持されている本体部１０を複数回揉むことにより外側表面１１ａでの泡立ちが良好となり、より効果的な洗浄、つまり汚れ落としとして今までにない効果を発揮することができる。
【００２２】
このような使用により、特に、相手素材の細部までハードな起毛がブラシ状として頑固な付着物を容易に取り除くことができ、また、使用後の水切れもよく、一般によくあるような石鹸がふやけるということのない構成となっている。
【００２３】
そして、袋内部１３に入っている石鹸は、例えば百回前後の使用が可能であり、その結果、通常の３分の１程度の使用量となり、また必要に応じて手でもむ、ということにより泡立ちの無駄をなくすことができ、経済的な使用が可能となり、さらに純石鹸の使用により手荒れなどの心配のない使用が可能となる。
【００２４】
すなわち、洗浄用具１は、業務用として、洗剤の補充を長時間行うことなく使用することができ、作業性の向上を図ることができる。また、洗浄用具１は、汚れに対して小量の石鹸で水分をあまり必要とせず洗浄することができ、またマイクロタオルなどで汚れをふきとることができ使用箇所に限定がないものである。
【００２５】
従って、上記のとおり実施形態の洗浄用具１は、相手素材を傷つけることなく、特に相手素材の固形化されている頑固な汚れなどが付着している部分である付着物を簡易且つ効果的に洗浄することができる。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２７】
また、洗浄用具の大きさや形状、素材の厚さ、重さなどについては多様な実施形態が可能であり、それらについて本実施形態と異なる形態による実施は、本考案の技術的範囲に含まれる。
【符号の説明】
【００２８】
１        洗浄用具
１０      本体部
１１      外側袋部
１１ａ    外側表面
１１ｂ    外側裏面
１２      内側袋部
１２ａ    内側表面
１２ｂ    内側裏面
１３      袋内部
１４      開口部
１５      面ファスナー
２０      石鹸
【図１】
0003206002.tif 000003
【図２】
0003206002.tif 000004